(57)【要約】【課題】  水蒸気改質法において、改質器への改質触媒の入口温度を低くすることにより、プロセス全体のエネルギー効率を向上させ、またシステムの起動時間を短くすることで、総合的に効率を高めることができる料電池用水素の製造方法を提供する。【解決手段】  改質触媒の存在下にて炭化水素油と水蒸気とを反応させる水蒸気改質反応により燃料電池用水素を製造する方法であって、上記炭化水素油を改質する改質器に充填した改質触媒の入口温度を４００℃以下としたことを特徴とする。【選択図】  図１
2008270194.tif 000002
【特許請求の範囲】
【請求項１】
改質触媒の存在下にて炭化水素油と水蒸気とを反応させる水蒸気改質反応により燃料電池用水素を製造する方法であって、
上記炭化水素油を改質する改質器に充填した改質触媒の入口温度を４００℃以下としたことを特徴とする燃料電池用水素の製造方法。
【請求項２】
上記炭化水素油は、天然ガス等をＣＯとＨ２に分解後に合成・分解・異性化するなどして得られる合成燃料の灯油留分であるＧＴＬ灯油、又は低級オレフィンを低重合した後に水素化処理して得られた燃料油の灯油留分であるイソパラフィン系灯油およびこれらを任意の比率で混合して得られる合成灯油であって、
上記改質触媒の入口温度は、３１０℃〜４００℃の範囲とした、
請求項１記載の燃料電池用水素の製造方法。
【請求項３】
上記炭化水素油は、天然ガス等をＣＯとＨ２に分解後に合成・分解・異性化するなどして得られる合成燃料の灯油留分であるＧＴＬ灯油、低級オレフィンを低重合した後に水素化処理して得られた燃料油の灯油留分であるイソパラフィン系灯油、又は原油を蒸留して得られる灯油留分を脱硫した灯油留分である吸着脱硫灯油およびこれらを任意の比率で混合して得られる合成灯油であって、
上記改質触媒の入口温度は、３３０℃〜４００℃の範囲とした、
請求項１記載の燃料電池用水素の製造方法。
【請求項４】
上記炭化水素油に、芳香族炭化水素を３０容量％以下含有させた、
請求項１に記載の燃料電池用水素の製造方法。
【請求項５】
上記炭化水素油に、ナフテン系炭化水素を３０容量％以下含有させた、
請求項１に記載の燃料電池用水素の製造方法。
【発明の詳細な説明】
【技術分野】
【０００１】
本発明は、水蒸気改質法を用いた燃料電池用水素の製造方法であって、改質触媒の入口温度を下げることでシステムのエネルギー効率を高めることができると共に、起動時間を短くすることができる燃料電池用水素の製造方法を提供する。
【背景技術】
【０００２】
炭化水素油からの水素の製造法としては、（１）水蒸気改質法（２）部分酸化法（３）自己熱改質法がある。
このうち、水蒸気改質法が最もよく用いられているが、水蒸気改質反応は非常に大きな吸熱反応であるため、外部から多量のエネルギーを用いて高温にまで加熱する必要がある。
【０００３】
また、改質触媒の温度に関しては、改質触媒入口と改質触媒出口の両温度を考慮する必要がある。通常、改質触媒を充填した改質器の温度は、改質触媒入口から出口にかけて温度勾配をつけて運転される。
改質触媒出口温度に関しては、その温度によって化学平衡により組成がほぼ決まってしまうため、改質器下流に設置された装置の用途により決定される。
一方、改質触媒入口温度に関しては、改質反応が起こっている状態で、できるだけ低い温度で運転されることが、省エネルギーの観点から望ましい。
【０００４】
また一方で、燃料電池システム用燃料として、飽和分が７０容量％以上、芳香族分が３０容量％以下、オレフィン分が４容量％以下、ナフテン分が３５容量％以下であり、蒸留初留点が１００℃以上の炭化水素化合物からなる燃料電池システム用燃料が提案されている（特許文献１参照）。
【０００５】
また、水蒸気改質法による燃料電池用水素の製造方法については、水蒸気改質触媒層の入口温度を６３０℃以下にし、触媒層出口温度６５０〜８００℃、反応圧力を通常圧力〜３ＭＰａの範囲として、またＬＨＳＶ０．１〜１００ｈ−１とする方法が提案されている（特許文献２参照）。
また、水素の製造方法としては、例えば、所定の反応器に炭化水素と水蒸気を導入し、これらを改質触媒下にて水蒸気改質反応させて水素を生成し、生成した水素を、Ｐｄ膜など水素を選択的に透過させる水素透過膜によって水素を分離し、高純度の水素を製造する方法が提案されている（特許文献３参照）。
さらに、図５に示すように、水蒸気改質法により、改質触媒としてＲｕ量１．５ｗｔ％触媒を用いて、Ｓ／Ｃ（供給水蒸気のＨ２Ｏ分子と供給燃料油中のＣ原子のモル比）＝３．０、ＬＨＳＶ０．５または１．０ｈ−１の条件において、改質器での温度勾配としては、入口温度を４７０℃まで低下させる例が知られている（非特許文献１）。
【０００６】
【特許文献１】特開２００２−８０８６８
【特許文献２】特開２００１−２７９２６８（明細書段落［００１５］等）
【特許文献３】特開２００２−２５５５０６号公報
【非特許文献１】「新燃料油環境調和型利用研究開発」（石油産業活性化センター，ＰＥＣ−２００３−Ｌ１），ｐ．３８
【発明の開示】
【発明が解決しようとする課題】
【０００７】
水蒸気改質法では、外部からのエネルギーを用いて高温に加熱する必要があるが、この外部からの加熱に必要なエネルギーが大きいほど装置の総合効率が低下してしまうという問題があった。
炭化水素油の改質による水素の製造時において、改質反応の温度を低下させることができれば、装置の総合効率向上により、省エネルギーが図られるがそのような技術は提供されていなかった。
また外部からのエネルギーを用いて高温に加熱する必要があると、その起動時間が長くなってしまい、効率が低下してしまうという問題があった。
【０００８】
本発明は、上記問題点を解決するためになされたものであって、水蒸気改質法において、改質器での改質触媒の入口温度を低くすることにより、プロセス全体のエネルギー効率を向上させ、また装置の起動時間を短くすることで、総合的に効率を高めることができる燃料電池用水素の製造方法を提供することを目的とする。
【課題を解決するための手段】
【０００９】
上記目的を達成するため、本発明に係る燃料電池用水素の製造方法は、改質触媒の存在下にて炭化水素油と水蒸気とを反応させる水蒸気改質反応により燃料電池用水素を製造する方法であって、上記炭化水素油を改質する改質器に充填した改質触媒の入口温度を４００℃以下としたことを特徴とする。
【００１０】
上記炭化水素油は、天然ガス等をＣＯとＨ２に分解後に合成・分解・異性化するなどして得られる合成燃料の灯油留分であるＧＴＬ灯油、又は低級オレフィンを低重合した後に水素化処理して得られた燃料油の灯油留分であるイソパラフィン系灯油およびこれらを任意の比率で混合して得られる合成灯油であって、上記改質触媒の入口温度は、３１０℃〜４００℃の範囲としてもよい。
【００１１】
また、上記炭化水素油は、原油を蒸留して得られる灯油留分を脱硫した灯油留分である吸着脱硫灯油であって、上記改質触媒の入口温度は、３３０℃〜４００℃の範囲としてもよい。
【００１２】
また、上記炭化水素油に、芳香族炭化水素を３０容量％以下含有させてもよい。
また、上記炭化水素油に、ナフテン系炭化水素を３０容量％以下含有させてもよい。
【発明の効果】
【００１３】
本発明によれば、改質器での改質触媒の入口温度が低くても水素製造が可能となった。これにより、外部からの加熱に必要なエネルギーが小さくて済むこととなり、装置の総合効率向上により、省エネルギーが図られる。
また改質触媒の改質器への入口温度が低くても良いから、装置の起動時間が短くなり、効率を良くすることができる。
【発明を実施するための最良の形態】
【００１４】
次に、本発明の実施形態について説明する。
灯油などの炭化水素油から、水蒸気改質法により水素を製造する場合、気化灯油と水蒸気（Ｈ２Ｏ）を導入し、改質触媒により水蒸気改質反応によって水素（Ｈ２）を生成する水素製造装置により行われる。この水素製造装置は、主として、改質器と、改質触媒および気化灯油などを所定温度に加熱するバーナなどの加熱装置と、生成した水素を外部に導く水素導出管とを有する。
【００１５】
改質触媒は、改質器内に充填されており、気化灯油と水蒸気とを反応させて、次の式（１）から式（３）に示すように、水蒸気改質反応を生じさせる。これらの反応によって、気化灯油を分解し、気化灯油中の炭化水素油の濃度を低下させると共に、水素の生成を促進する触媒である。このような改質触媒としては、特に何ら制限は無く、従来炭化水素油の水蒸気改質触媒として知られている公知のものである、Ｎｉ系の改質触媒や、Ｐｔ、Ｒｕ、Ｒｈなどの白金族系の改質触媒などから適宜選択して使用することができる。
【００１６】
灯油＋Ｈ２Ｏ→主にＨ２、ＣＯ、ＣＯ２、Ｈ２Ｏ、ＣＨ４…（１）
ＣＨ４＋Ｈ２Ｏ→ＣＯ＋３Ｈ２…（２）
ＣＯ＋Ｈ２Ｏ→ＣＯ２＋Ｈ２…（３）
【００１７】
＜第１の実施形態＞
本実施形態においては、白金族系の改質触媒を用いて、反応温度３６０℃〜７５０℃、Ｓ／Ｃ＝３．０、ＬＨＳＶ＝０．７５ｈ−１において改質を行った。
使用原料は、以下の５種類で行った。
（１）ＧＴＬ灯油（Ｇａｓ  ｔｏ  Ｌｉｑｕｉｄｓ：  天然ガス等をＣＯとＨ２に分解後に合成・分解・異性化するなどして得られる合成燃料の灯油留分）
（２）ＧＴＬ灯油に、低級オレフィンを低重合した後に水素化処理して得られた燃料油の灯油留分であるイソパラフィン系灯油を混合した合成灯油（以下、「合成灯油１」という）
（３）合成灯油１に芳香族炭化水素としてノルマルブチルベンゼン３０容量％を添加した合成灯油（以下、「合成灯油Ａ３０」という）
（４）吸着脱硫灯油（原油を蒸留して得られる灯油留分を、市販のＮｉ系吸着脱硫剤を用いて２００℃，ＬＨＳＶ＝０．５ｈ−１の条件で脱硫した灯油留分）
（５）吸着脱硫灯油２（上記（４）吸着脱硫灯油を蒸留により軽質化した吸着脱硫灯油）
これら原料の性状を表１に示す。また、これらの５種類の使用原料に基づいて、反応温度と、転化率の関係を図１に示す。ここで図1、２および３の転化率は原料がＣＯ、ＣＨ4、ＣＯ2、および炭素数２〜４の低級炭化水素に転化した割合であり、炭素を基準に計算したものである。
【００１８】
【表１】
2008270194.tif 000003
【００１９】
図１の結果から、ＧＴＬ灯油、合成灯油１、合成灯油Ａ３０、吸着脱硫灯油、吸着脱硫灯油２のいずれも、反応温度を３６０℃まで低下させても水素の製造が可能であった。
また、吸着脱硫灯油と吸着脱硫灯油２の比較から、原料油の蒸留性状の軽質化が必ずしも転化率向上につながるわけではなく、原料油の組成が改質し易さに影響していることが明らかとなった。
また、合成灯油１（図示白三角）とＧＴＬ灯油（図示白丸）は、吸着脱硫灯油（図示黒四角）及び吸着脱硫灯油２（図示白四角）と比較して、低温側ではより転化率が高い。すなわち、合成灯油１とＧＴＬ灯油は吸着脱硫灯油と比較して、低温領域においてより多くの水素を製造することが可能となる。
また、ＧＴＬ灯油は合成灯油１よりも、さらに低温側での転化率が高いので、ＧＴＬ灯油は合成灯油１と比較して、低温領域においてより多くの水素を製造することが可能である。
【００２０】
＜第２の実施形態＞
本実施形態においては、白金族系改質触媒を用いて、反応温度３１０℃〜３６０℃の低温領域に限定し、Ｓ／Ｃ＝３．０、ＬＨＳＶ＝０．７５ｈ−１において改質を行った。
使用原料は、第１の実施形態記載の３油種、ＧＴＬ灯油、合成灯油１、吸着脱硫灯油で行った。
低温域での反応温度と、転化率の関係を図２に示す。
この図２の結果から、ＧＴＬ灯油（図示白丸）及び合成灯油１（図示白三角）によれば、反応温度を３１０℃まで低下させても水素の製造が可能であった。
また、吸着脱硫灯油（図示黒四角）については、反応温度を３３０℃まで低下させても水素の製造が可能であった。
【００２１】
＜第３の実施形態＞
本実施形態においては、白金族系の改質触媒を用いて、反応温度４００℃〜７５０℃、Ｓ／Ｃ＝３．０、ＬＨＳＶ＝０．７５ｈ−１において改質を行った。
使用原料は、以下の４種類で行った。その結果を図３に示す。
（１）合成灯油１
（２）合成灯油１に芳香族炭化水素としてノルマルブチルベンゼン１５容量％を添加した合成灯油（以下、「合成灯油Ａ１５」という）
（３）合成灯油１に芳香族炭化水素としてノルマルブチルベンゼン３０容量％を添加した合成灯油（以下、「合成灯油Ａ３０」という）
（４）合成灯油１にナフテン系炭化水素としてノルマルブチルシクロヘキサン３０容量％を添加した合成灯油（以下、「合成灯油Ｎ３０」という）
【００２２】
図３の結果から、合成灯油１（図示白三角）の場合と、合成灯油Ａ１５（図示黒三角）、合成灯油Ａ３０（図示黒丸）、合成灯油Ｎ３０（図示白丸）のいずれの場合でも改質触媒の入口温度を４００℃まで低下させても水素製造が可能である。
【００２３】
このように、上述の各実施形態から、改質触媒の改質器での入口温度を、少なくとも４００℃以下にまで低下させても水素製造が可能であることが分かった。
この場合、使用燃料は、ＧＴＬ灯油、イソパラフィン系灯油、吸着脱硫灯油およびこれらを任意の比率で混合して得られる合成灯油、ならびに、これら炭化水素油に芳香族炭化水素を３０容量％以下含有させた合成灯油やこれら炭化水素油にナフテン系炭化水素を３０容量％以下含有させた合成灯油のいずれでも可能である。
また、使用燃料としてＧＴＬ灯油、イソパラフィン系灯油、吸着脱硫灯油およびこれらを任意の比率で混合して得られる合成灯油を用いることで、改質器での改質触媒の入口温度を３３０℃まで低下させることができる。
さらに、使用燃料としてＧＴＬ灯油、イソパラフィン系灯油およびこれらを任意の比率で混合して得られる合成灯油を用いることで、改質器での改質触媒の入口温度を３１０℃まで低下させることができる。
これにより、図４に示すように、従来入口温度をＴＡ、今回の入口温度をＴＢとして、改質器の触媒入口から触媒出口までの温度変化を表したものである。この図４から、従来のように入口温度が高い場合、ＴＡからＴ０までの加熱する場合の総エネルギー量は、図示のＴＡ−Ｔ０−I−Ｏの面積となる。
これに比べて、今回の実施形態のＴＢのように入口温度を低くする（３１０℃〜４００℃）とすることで、総エネルギー量は、図示のＴＢ−Ｔ０−Ｉ−Ｏの面積となり、ＴＡ−Ｔ０−ＴＢの三角形の面積で表される分だけエネルギー量が少なくて済む。
これにより、システム全体としてのエネルギー効率を向上させることができる。また立ち上げ温度が低くて済むことから、初期の起動時間が短くなる。
【図面の簡単な説明】
【００２４】
【図１】５種類の使用原料に基づいて、反応温度と転化率の関係を示したグラフ。
【図２】３種類の使用原料に基づいて、反応温度と転化率の関係を示した別のグラフ。
【図３】合成灯油１に芳香族炭化水素またはナフテン系炭化水素を添加した場合の反応温度と転化率の関係を示したグラフ。
【図４】改質器の触媒入口から触媒出口までの温度変化を従来と本発明で比較して表したグラフ。
【図５】従来の改質器の触媒入口から触媒出口までの温度変化を表したグラフ。
【図１】
2008270194.tif 000004
【図２】
2008270194.tif 000005
【図３】
2008270194.tif 000006
【図４】
2008270194.tif 000007
【図５】
2008270194.tif 000008